(57)【要約】  本発明におけるスケジューリング方法および装置が提供される。本発明における実施形態によって提供されるスケジューリング方法は、第1システムの基地局がユーザ装置(UE)によって送信された第1表示を受信するステップであって、第1表示が第1システムと第2システムとの間に干渉があることを示す、ステップと、基地局が一時的スケジューリング情報を生成して、その一時的スケジューリング情報をUEに送信するステップと、基地局が一時的スケジューリング情報に従ってUEをスケジューリングするステップであって、一時的スケジューリング情報に従って基地局によってUEをスケジューリングするための時間が、UEによって第2システムからデータを受信するための時間とオーバーラップしない、ステップとを含む。本発明によって、UEをスケジューリングする際に、第1システムと、周波数帯域が第1システムの周波数帯域と隣接している第2システムとの間の衝突が回避でき、それによって、UEが、周波数帯域が隣接する2つのシステム内でメッセージを送受信するという相互干渉の問題を解決できる。
2013539275.tif 000002
【特許請求の範囲】
【請求項１】
第1システム内の基地局によって、ユーザ装置UEによって送信された第1表示を受信するステップであって、前記第1表示が、前記第1システムと第2システムとの間に干渉が存在することを示すステップと、
前記基地局によって、一時的スケジューリング情報を生成して、前記一時的スケジューリング情報を前記UEに送信するステップと、
前記基地局によって、前記一時的スケジューリング情報に従って前記UEをスケジューリングするステップであって、前記基地局が前記一時的スケジューリング情報に従って前記UEをスケジューリングする時間が、前記UEが前記第2システムからデータを受信する時間とオーバーラップしない、ステップとを備える、スケジューリング方法。
【請求項２】
前記基地局によって一時的スケジューリング情報を生成する前記ステップが、
前記基地局によって、前記UEの現在のサービス状態、および/または前記基地局の現在のリソーススケジューリング状態に従って、前記一時的スケジューリング情報を生成するステップ、または、
前記基地局によって、前記UEによって送信された、推奨されたスケジューリング情報を受信して、前記UEの前記現在のサービス状態、および/または前記基地局の前記現在のリソーススケジューリング状態に従って、前記推奨されたスケジューリング情報を修正するステップであって、前記修正されたスケジューリング情報が前記一時的スケジューリング情報であり、前記推奨されたスケジューリング情報が、前記UEによって推奨された、前記基地局が前記UEをスケジューリングする方法を示すステップを備える、請求項1に記載の方法。
【請求項３】
前記基地局によって、前記UEが前記ターゲット基地局に切り替わる前に、前記第1表示をターゲット基地局に送信するステップであって、前記ターゲット基地局が前記第1システム内に位置する、ステップをさらに備える、請求項1または2に記載の方法。
【請求項４】
前記第1システムが、シーケンス番号40の周波数帯域を使用するロングタームエボリューションLTEシステムであり、前記第2システムが、産業科学医療用周波数帯域を使用する無線ローカルエリアネットワークWLANシステムまたはブルートゥースBTシステムである、請求項1から3のいずれか一項に記載の方法。
【請求項５】
前記基地局が前記一時的スケジューリング情報を生成する前に、前記基地局によって、前記UEによって送信された前記第2システムのスケジューリング情報を受信するステップをさらに備え、
前記基地局によって一時的スケジューリング情報を生成する前記ステップが、前記基地局によって、前記第2システムの前記スケジューリング情報に従って一時的スケジューリング情報を生成するステップと、
前記UEによって、前記基地局が前記UEをスケジューリングしない時間セグメント内に、前記第2システムの前記スケジューリング情報に従って前記第2システムによって実行されるスケジューリングを確定するステップとを備える、請求項1に記載の方法。
【請求項６】
前記第2システムの前記スケジューリング情報、および前記第1表示が同じ無線リソース制御RRCメッセージ内で搬送され、または
前記基地局が、前記第2システムのタイプを示す第2表示をさらに受信して、前記第2システムの前記スケジューリング情報、前記第1表示、および前記第2表示が同じ無線リソース制御RRCメッセージ内で搬送される、請求項5に記載の方法。
【請求項７】
前記基地局によって、前記第2システムの前記スケジューリング情報に従って一時的スケジューリング情報を生成する前記ステップが、
前記基地局によって、前記UEの現在のサービス状態、および/または前記基地局の現在のリソーススケジューリング状態に従って、前記UEによって送信された前記スケジューリング情報を修正して、前記修正されたスケジューリング情報を前記一時的スケジューリング情報と見なすステップを備える、請求項5または6に記載の方法。
【請求項８】
前記第2システムの前記スケジューリング情報が、前記UEによる変換を通じて生成され、前記第1システムの時間を参考に使用するスケジューリング情報であり、前記変換が、前記スケジューリング情報を、前記第2システムの時間を参考に使用することから、前記第1システムの時間を参考に使用することに変換するステップを備える、請求項5から7のいずれか一項に記載の方法。
【請求項９】
前記UEが前記ターゲット基地局に切り替わる前に、前記基地局によって、前記第1表示、および前記第2システムの前記スケジューリング情報をターゲット基地局に送信するステップであって、前記ターゲット基地局が前記第1システム内に位置する、ステップをさらに備える、請求項5から8のいずれか一項に記載の方法。
【請求項１０】
前記第1システムが、シーケンス番号13または14の周波数帯域を使用するLTEシステムであり、前記第2システムが全地球測位GPSシステムである、請求項2から9のいずれか一項に記載の方法。
【請求項１１】
前記UEによって、前記第1システムと前記第2システムとの間に干渉が存在するかどうかを判断するステップと、
前記第1システムと前記第2システムとの間に干渉が存在する場合、前記UEによって、前記第1表示を前記基地局に送信するステップとをさらに備える、請求項1から10に記載の方法。
【請求項１２】
前記一時的スケジューリング情報に従って前記UEをスケジューリングする前記ステップの後に、
前記第1システムと前記第2システムとの間に干渉が存在しないことを知ると、前記基地局によって、前記一時的スケジューリング情報に従って前記UEのスケジューリングを停止するステップをさらに備える、請求項1から11のいずれか一項に記載の方法。
【請求項１３】
前記一時的スケジューリング情報が、
スケジューリング期間、スケジューリング期間内に前記基地局が前記UEをスケジューリングしない開始時間、およびスケジューリング期間内に前記基地局が前記UEをスケジューリングしない継続時間、または、
スケジューリング期間、ならびにスケジューリング期間内に前記基地局が前記UEをスケジューリングしない開始時間および終了時間、または、
スケジューリング期間、スケジューリング期間内に前記基地局が前記UEをスケジューリングする開始時間、およびスケジューリング期間内に前記基地局が前記UEをスケジューリングする継続時間、または、
スケジューリング期間、ならびにスケジューリング期間内に前記基地局が前記UEをスケジューリングする開始時間および終了時間を含む、請求項1から12のいずれか一項に記載の方法。
【請求項１４】
ユーザ装置UEによって、第1表示および推奨されたスケジューリング情報を第1システム内の基地局に送信するステップであって、前記第1表示が、前記第1システムと第2システムとの間に干渉が存在することを示すステップと、
前記UEによって、前記基地局によって送信された確認メッセージを受信するステップと、
前記UEによって、前記推奨されたスケジューリング情報に従って、前記基地局によるスケジューリングを確定して、前記基地局が前記UEをスケジューリングしない時間セグメント内に前記第2システムのデータを受信するステップとを備える、スケジューリング方法。
【請求項１５】
前記第1システムが、シーケンス番号40の周波数帯域を使用するロングタームエボリューションLTEシステムであり、前記第2システムが、産業科学医療用周波数帯域を使用する無線ローカルエリアネットワークWLANシステムまたはブルートゥースBTシステムである、請求項14に記載の方法。
【請求項１６】
UEによって、第1表示を第1システム内の基地局に送信する前記ステップの前に、
前記UEによって、前記第1システムと前記第2システムとの間に干渉が存在するかどうかを判断するステップと、
前記第1システムと前記第2システムとの間に干渉が存在する場合、前記UEによって、前記第1表示を前記基地局に送信するステップとをさらに備える、請求項14または15に記載の方法。
【請求項１７】
前記UEによって、前記推奨されたスケジューリング情報に従って、前記基地局によるスケジューリングを確定する前記ステップの後に、
前記一時的スケジューリング情報が無効であることを前記基地局から知ると、前記UEによって、前記一時的スケジューリング情報に従って、前記基地局によるスケジューリングの確定を停止するステップをさらに備える、請求項14から16のいずれか一項に記載の方法。
【請求項１８】
前記UEによって、前記一時的スケジューリング情報が無効であることを前記基地局から知る前に、
前記UEが、前記第1システムと前記第2システムとの間に干渉が存在しないことを決定すると、前記UEによって、前記第1システムと前記第2システムとの間に干渉が存在しないことを前記基地局に通知するステップをさらに備える、請求項17に記載の方法。
【請求項１９】
前記推奨されたスケジューリング情報が、
スケジューリング期間、スケジューリング期間内に前記基地局が前記UEをスケジューリングしない開始時間、およびスケジューリング期間内に前記基地局が前記UEをスケジューリングしない継続時間、または、
スケジューリング期間、ならびにスケジューリング期間内に前記基地局が前記UEをスケジューリングしない開始時間および終了時間、または、
スケジューリング期間、スケジューリング期間内に前記基地局が前記UEをスケジューリングする開始時間、およびスケジューリング期間内に前記基地局が前記UEをスケジューリングする継続時間、または、
スケジューリング期間、ならびにスケジューリング期間内に前記基地局が前記UEをスケジューリングする開始時間および終了時間を含む、請求項14から18のいずれか一項に記載の方法。
【請求項２０】
第1システム内に位置して、受信ユニット、処理ユニット、および送信ユニットを備える装置であって、
前記受信ユニットがUEによって送信された第1表示を受信するように構成され、前記第1表示が前記第1システムと第2システムとの間に干渉が存在することを示し、
前記処理ユニットが、一時的スケジューリング情報を生成して、前記一時的スケジューリング情報に従って前記UEをスケジューリングするように構成され、
前記送信ユニットが前記一時的スケジューリング情報を前記UEに送信するように構成され、
前記処理ユニットが前記一時的スケジューリング情報に従って前記UEをスケジューリングする時間が、前記UEが前記第2システムからデータを受信する時間とオーバーラップしない、装置。
【請求項２１】
送受信ユニットおよび実行ユニットを備える装置であって、
送受信ユニットが、第1表示および推奨されたスケジューリング情報を第1システム内の基地局に送信するように構成され、前記第1表示が、前記第1システムと第2システムとの間に干渉が存在することを示し、
前記送受信ユニットが、前記基地局によって送信された確認メッセージを受信するようにさらに構成され、
実行ユニットが、前記推奨されたスケジューリング情報に従って、前記基地局によるスケジューリングを確定して、前記基地局が前記UEをスケジューリングしない時間セグメント内に前記第2システムのデータを受信するように構成される、装置。
【発明の詳細な説明】
【技術分野】
【０００１】
本出願は、2010年8月16日に中国専利局に出願された中国特許出願第CN 201010254226.6号「SCHEDULING METHOD AND DEVICE」の優先権を主張し、その全体を参照により本明細書に組み込む。
【０００２】
本発明は、モバイル通信の分野に関し、より詳細には、スケジューリング方法およびデバイスに関する。
【背景技術】
【０００３】
通信システムでは、スペクトルは異なる周波数帯域に分割される。たとえば、利用可能な40個の周波数帯域はロングタームエボリューション(Long Term Evolution, LTE)システムの分割を通じて取得され、777MHzから787MHzはシーケンス番号13の周波数帯域(略して帯域13)であり、746MHzから756MHzはシーケンス番号14の周波数帯域(略して帯域14)であり、2300MHzから2400MHzはシーケンス番号40の周波数帯域(略して帯域40)である。他の例では、それぞれの国によって共有される産業科学医療用周波数帯域(ISM周波数帯域)のうちの1つは、2.4 GHzから2.5 GHzの周波数帯域(略して2.4 G周波数帯域)である。周波数帯域は、LTEシステムの帯域40に隣接している。無線ローカルエリアネットワーク、ブルートゥース、およびZigBeeなどの無線ネットワークは、全てこの周波数帯域上で動作できる。他の例では、全地球測位(航法衛星タイミングおよび測距全地球測位システム、GPS)システムは1575.42 MHzで動作できる。周波数帯域は、帯域13/帯域14の高調波に隣接している。
【０００４】
従来技術では、ユーザ装置(User Equipment, UE)が、ある周波数帯域でLTEシステムを使用して、同時にその周波数帯域に隣接する周波数帯域で他のシステムを使用すると、UEによるLTEシステムの信号の送信によって、UEによる他のシステムの信号の受信が干渉されることがあり、またUEによる他のシステムの信号の送信によって、UEによるLTEシステムの信号の受信が干渉されることもある。
【発明の概要】
【課題を解決するための手段】
【０００５】
本発明の一態様では、
第1システム内の基地局によって、ユーザ装置UEによって送信された第1表示を受信するステップであって、第1表示が、第1システムと第2システムとの間に干渉が存在することを示す、ステップと、
基地局によって、一時的スケジューリング情報を生成して、その一時的スケジューリング情報をUEに送信するステップと、
基地局によって、一時的スケジューリング情報に従ってUEをスケジューリングするステップであって、基地局が一時的スケジューリング情報に従ってUEをスケジューリングする時間が、UEが第2システムからデータを受信する時間とオーバーラップしない、ステップとを含むスケジューリング方法が提供される。
【０００６】
本発明の他の態様では、
ユーザ装置UEによって、第1表示および推奨されたスケジューリング情報を第1システム内の基地局に送信するステップであって、第1表示が、第1システムと第2システムとの間に干渉が存在することを示す、ステップと、
UEによって、基地局によって送信された確認メッセージを受信するステップと、
UEによって、推奨されたスケジューリング情報に従って基地局によるスケジューリングを確定して、基地局がUEをスケジューリングしない時間セグメント内に第2システムのデータを受信するステップとを含むスケジューリング方法が提供される。
【０００７】
本発明の他の態様では、装置が提供される。装置は、第1システム内に位置して、受信ユニット、処理ユニット、および送信ユニットを含み、
受信ユニットがUEによって送信された第1表示を受信するように構成され、第1表示が第1システムと第2システムとの間に干渉が存在することを示し、
処理ユニットが、一時的スケジューリング情報を生成して、一時的スケジューリング情報に従ってUEをスケジューリングするように構成され、
送信ユニットが一時的スケジューリング情報をUEに送信するように構成され、
処理ユニットが一時的スケジューリング情報に従ってUEをスケジューリングする時間が、UEが第2システムからデータを受信する時間とオーバーラップしない。
【０００８】
本発明の他の態様では、送受信ユニットおよび実行ユニットを含む装置が提供され、
送受信ユニットが、第1表示および推奨されたスケジューリング情報を第1システム内の基地局に送信するように構成され、第1表示が、第1システムと第2システムとの間に干渉が存在することを示し、
送受信ユニットが、基地局によって送信された確認メッセージを受信するようにさらに構成され、
実行ユニットが、推奨されたスケジューリング情報に従って、基地局によるスケジューリングを確定して、基地局がUEをスケジューリングしない時間セグメント内に第2システムのデータを受信するように構成される。
【０００９】
本発明の実施形態による方法またはデバイスを適用することによって、第1システムによってUEに実行されるスケジューリングと、UEによる第2システムのデータまたはメッセージの送受信などの、UEによる第1システムの周波数帯域に隣接する周波数帯域上の第2システムの使用との間の衝突を回避できる。このようにして、隣接周波数帯域上の2つのシステム内の、UEによって実行されるメッセージの送受信における相互干渉の問題が解決される。
【図面の簡単な説明】
【００１０】
【図１】本発明の実施形態によるスケジューリング方法の概略図である。
【図２】本発明の実施形態によるスケジューリング情報の概略図である。
【図３】本発明の他の実施形態によるスケジューリング方法の概略図である。
【図４】本発明の他の実施形態によるデバイスの概略図である。
【図５】本発明の他の実施形態によるデバイスの概略図である。
【発明を実施するための形態】
【００１１】
以下で、本発明の実施形態における添付の図面を参照して、本発明の実施形態の技術的ソリューションを明確かつ完全に説明する。説明した実施形態は、本発明の実施形態の全てではなく、その一部にすぎないことは明らかである。本発明の実施形態に基づいて、創造的努力なしに当業者によって取得される他の全ての実施形態は、本発明の保護範囲内である。
【００１２】
説明を簡単にするために、本発明の実施形態では、LTEシステム内のUEおよび基地局を例にとる。しかし、システムおよびデバイスの名称は、ソリューションを限定するものと見なされるべきではない。実際には、本発明の実施形態におけるUEは第1システム内のデバイスによってスケジューリングを確定する任意のデバイスでよく、ユーザによって使用されうるデバイスに限定されず、基地局は第1システム内のスケジューリング機能を有するかスケジューリング機能を実装する任意のデバイスでよく、基地局に限定されない。さらに、本発明の実施形態における第1システムは、LTEシステムおよびLTE+システムなどの任意のスケジューリングベースのシステムでよい。システムの周波数帯域と他のシステムの周波数帯域との間に干渉が存在する限り、システム内のスケジューリングされたデバイスによって実行されるメッセージの送受信における相互干渉の問題を解決するために、本発明の実施形態において提供される方法が使用されうる。
【００１３】
図1に示されるように、本発明の実施形態は方法を提供する。この実施形態は以下のステップを含む。
【００１４】
S110。UEは、動作状態である第1システムと第2システムとの間に干渉が発生しうるかどうかを判断できる。干渉が存在するという判断結果である場合、S120を実行する。
【００１５】
任意選択で、第2システムが使用され始めるか、第2システムが使用される必要がある場合(この時点では、第2システムは使用されていない)、S110でUEが判断を実行する。たとえば、第1システムはLTEシステムである。GPSシステムを使用することによって位置決定するために、UEによって受信されたコマンドが、GPSシステムを使用する必要があることを示す。この場合、UEはLTEシステムとGPSシステムとの間に干渉が発生しうるかどうかを判断する。他の例では、第1システムは無線ローカルエリアネットワーク(Wireless Local Area Network, WLAN)システムである。UEがLTEシステムの使用を開始すると、UEはWLANシステムとLTEシステムとの間に干渉が発生しうるかどうかを判断する。
【００１６】
任意選択で、UEは、2つの周波数間の比較に基づいて、LTEシステムの動作周波数帯域が第2システムによって使用される周波数帯域に隣接しているかどうか、たとえば、2つの周波数帯域間のスパンがしきい値(100MHzなど)以下かどうかを判断することによって、LTEシステムと第2システムとの間に干渉が存在するかどうかを判断する。2つの周波数帯域が相互に隣接している場合、第1システムと第2システムとの間に干渉が発生するという判断結果になる。この状況では、第1システムおよび第2システムは、相互にとって干渉システムと呼ばれうる。
【００１７】
たとえば、LTEシステムの帯域13と帯域14との両方の高調波が、GPSシステムによって使用される周波数帯域に隣接している。したがって、LTE帯域13はGPSシステムの干渉システムと呼ばれ、LTE帯域14もGPSシステムの干渉システムと呼ばれうる。あるいは、GPSシステムはLTE帯域13またはLTE帯域14によって干渉されるシステムであり、略して干渉されたシステムと呼ばれる。他の例では、LTEシステムの帯域40は、ISMシステム内のWLANシステムによって使用される周波数帯域、およびISMシステム内のブルートゥース(Bluetooth（登録商標）, BT)によって使用される周波数帯域に隣接している。したがって、LTE帯域40およびISM WLANシステムは相互にとって干渉システムであり、LTE帯域40およびISM BTは相互にとって干渉システムである。
【００１８】
この実施形態では、LTE帯域13がGPSシステムの干渉システムであることを説明のための例にとる。この実施形態は、LTE帯域14がGPSシステムの干渉システムであるというケースにも適用でき、別には説明しない。
【００１９】
S120。UEが判断結果を基地局に通知する。
【００２０】
UEは、LTEシステム内のUEにサービスを提供する基地局に判断結果を通知できる。
【００２１】
任意選択で、UEは、干渉が存在することを示す第1表示を基地局に送信する。たとえば、第1表示は1ビットを占める。ビット情報が1の場合、干渉が存在することを示しており、ビット情報が0の場合、干渉が存在しないことを示している。それぞれの領域におけるスペクトルの分割および適用は比較的安定しており、LTEシステムの現在の動作周波数帯域は基地局にとって認識可能である。したがって、干渉が存在することを示す第1表示が受信されると、基地局は、LTEシステムの現在の動作周波帯域を干渉する周波数帯域を決定でき、周波数帯域とシステムとの間の対応に従って、干渉システムをさらに決定できる。たとえば、LTEの動作周波数帯域は帯域13または帯域14であり、すなわち、UEは帯域13または帯域14上で動作する。この場合、干渉が存在することを示す第1表示を受信すると、基地局は干渉されたシステムはGPSシステムであると決定できる。
【００２２】
任意選択で、第1表示は、UEによって基地局に送信された無線リソースコントロール(Radio Resource Control, RRC)メッセージ内で搬送され、たとえば、既存のユーザ装置情報応答(UEInformationResponse)メッセージのバックアップフィールドまたはエクステンションフィールドを占めることによって、またはRRCメッセージを追加することによって実装される。
【００２３】
S130。UEが干渉されたシステム(すなわち、GPSシステム)のスケジューリング情報を基地局に送信する。
【００２４】
このステップでは、S120でUEによって送信された第1表示と同じメッセージ内でスケジューリング情報を搬送でき(この場合、このステップおよびS120は同時に実装される)、S120の前または後にUEによって基地局に送信された、RRCメッセージなどのメッセージ内でも搬送できる。
【００２５】
干渉システムがスケジューリングベースのGPSシステムの場合、UEはそのシステムによって送信されたスケジューリング情報を取得できる。たとえば、GPSシステムは、C/Aコードをレンジングコードとして使用する。図2に示されるように、GPSシステムのC/Aコードの受信開始時間はAであり、(図2のGPSシステムの時間軸上の細い線によって示されるように)C/Aコードの受信間隔は10msであり、(図2のGPSシステムの時間軸上の太線によって示されるように)C/Aコードの受信時間は10msである。LTEシステム内の1つのフレームは10個のサブフレームを含み、それぞれのサブフレームの時間は1msである。任意選択で、GPSシステムとLTE(帯域13など)システムの時間基準が異なる場合、UEはGPSシステムの時間を(レンジングコードの形式で)参考に使用するスケジューリング情報を、LTEシステムの時間を(フレームおよびサブフレームの形式で)参考に使用するスケジューリング情報に変換するので、LTEシステム内の基地局はGPSシステムのスケジューリング情報を理解できる。図2に示されるように、UEはGPSシステムのC/Aコードの受信開始時間をLTEシステムの時間に変換できる。たとえば、GPSシステムの時間Aは、LTEシステム内でシーケンス番号12を有するフレーム内の第2サブフレームに対応し、10msであるC/Aコードの受信間隔および10msであるC/Aコードの受信時間は、LTEシステム内の20msである受信間隔および(図2のLTEの時間軸上の太線で示されるように)それぞれの期間内で10msである受信時間に変換される。言い換えれば、UEによってLTEシステム内の基地局に送信されたスケジューリング情報は、20(msまたはサブフレームの単位の受信期間)、12および2(無線フレーム番号SFN、および受信開始時間のサブフレーム番号)、ならびに10(msまたはサブフレームの単位の、それぞれの期間内の受信時間)である。任意選択で、GPSシステムとLTE(帯域13など)システムの時間基準が異なる場合、UEはGPSシステムの時間を参考に使用するスケジューリング情報を、絶対時間を参考に使用するスケジューリング情報に変換するので、LTEシステム内の基地局はGPSシステムのスケジューリング情報を理解できる。任意選択で、GPSシステムのスケジューリング情報が絶対時間を参考に使用するスケジューリング情報の場合、UEはGPSシステムのスケジューリング情報をLTEシステム内の基地局に直接送信し、それによってUEの動作を減らすか、絶対時間を参考に使用するスケジューリング情報を、LTEシステムの時間を参考に使用するスケジューリング情報に変換して、それによって基地局がUEによって送信されたスケジューリング情報を受信するために必要な動作を減らす。絶対時間は公的時間とも呼ばれることもあり、それぞれのシステムによって共有される時間基準である。たとえば、年/月/日、および時/分/秒の形式が採用される。任意選択で、参照として使用される時間はシステム標準で規定される。
【００２６】
S140。基地局が一時的スケジューリング情報を生成して、その一時的スケジューリング情報をUEに送信し、一時的スケジューリング情報によって示されるスケジューリングはGPSシステムによってUEに実行されるスケジューリングと衝突しない。
【００２７】
任意選択で、一時的スケジューリング情報は、基地局によってUEに送信されたRRCメッセージ内で搬送される。
【００２８】
任意選択で、一時的スケジューリング情報は、基地局がUEをスケジューリングしない時を示すので、UEはその時に他のシステムを使用できる。たとえば、一時的スケジューリング情報は、スケジューリング期間、スケジューリング期間内に基地局がUEをスケジューリングしない開始時間(略してUEのスケジューリング停止の開始時間と呼ばれうる)、およびスケジューリング期間内に基地局がUEをスケジューリングしない時間(略してUEのスケジューリング停止の時間と呼ばれうる)を含む。スケジューリング期間内では、基地局はUEのスケジューリング停止の時間を超えた時にUEをスケジューリングできる。他の例では、一時的スケジューリング情報は、スケジューリング期間、スケジューリング期間内に基地局がUEをスケジューリングしない開始時間(略してUEのスケジューリング停止の開始時間と呼ばれうる)、およびスケジューリング期間内に基地局がUEをスケジューリングしない終了時間(略してUEのスケジューリング停止の終了時間と呼ばれうる)を含む。
【００２９】
任意選択で、一時的スケジューリング情報は、基地局がUEをスケジューリングしない時を直接示さないが、代わりに基地局がUEをスケジューリングする時を示す。これは、UEが、基地局がUEをスケジューリングしない時を決定すること、およびスケジューリング期間内のその時に他のシステムを使用することも容易にする。たとえば、一時的スケジューリング情報は、スケジューリング期間、スケジューリング期間内に基地局がUEをスケジューリングする開始時間、およびスケジューリング期間内に基地局がUEをスケジューリングする時間を含む。他の例では、一時的スケジューリング情報は、スケジューリング期間、ならびにスケジューリング期間内に基地局がUEをスケジューリングする開始時間および終了時間を含む。
【００３０】
基地局がUEに、UEがスケジューリングされる時を示すか、UEがスケジューリングされない時を示すかにかかわらず、同じ機能が実装される理由は、スケジューリング期間を、基地局がUEをスケジューリングできる、またはUEのスケジューリングが許可される時間セグメント(略して第1時間セグメント)、および基地局がUEをスケジューリングできない、またはUEのスケジューリングが禁止される時間セグメント(略して第2時間セグメント)に分割できるからである点に留意されたい。したがって、基地局が開始時間、終了時間、および第1時間セグメントの時間のいずれか2つ、あるいは開始時間、終了時間、および第2時間セグメントの時間のいずれか2つを示すことができれば、UEは基地局がUEをスケジューリングしない時間(すなわち、第2時間セグメント)と、基地局がUEをスケジューリングできる時間(すなわち、第1時間セグメント)とを区別できる。したがって、本発明の例示的実施形態では、スケジューリング期間、スケジューリング期間内に基地局がUEのスケジューリング停止の開始時間、およびスケジューリング期間内に基地局がUEのスケジューリングを停止する時間を含む一時的スケジューリング情報を例にとるが、一時的スケジューリング情報がこれに限定されることを意味するものではない。
【００３１】
基地局は、GPSシステムが干渉されたシステムであること、ならびに受信した第1表示およびUEによって送信されたスケジューリング情報に従ってGPSシステムがUEをスケジューリングする方法を知ることができる。当然、基地局はUEによって送信されたスケジューリング情報を、GPSシステムからデータを受信する方法についてのUEの推奨と見なすこともできる。任意選択で、基地局は、UEによって送信されたスケジューリング情報を修正することによって一時的スケジューリング情報を生成する。たとえば、UEの現在のサービス状態、および/または基地局の現在のリソーススケジューリング状態に従って、基地局は、UEによって送信されたスケジューリング情報を修正して、次いで修正されたスケジューリング情報を一時的スケジューリング情報としてUEに送信する。本発明の実施形態における「Aおよび/またはB」という表現は、説明を簡単にするために使用されるものであり、以下の3つのケース:(1)A; (2)B;または(3)AおよびBを含む点に留意されたい。
【００３２】
たとえば、UEの現在のサービス状態はVoIPサービスが使用されている状態である。基地局はUEに半永続的スケジューリングを実行する。それぞれの20msが1期間であると仮定する。UEは、それぞれの期間内の指定されたサブフレームに一度、VoIPサービスデータを受信または送信する。指定されたサブフレームは、UEがGPSシステムのスケジューリング情報に従ってGPSシステムからデータを受信できる時間セグメント(受信開始時間が、SFNが12であるフレーム内の第2サブフレームであり、受信時間が10ms)とオーバーラップする。すなわち、基地局によってUEに実行されるスケジューリングが、GPSシステムによってUEに実行されるスケジューリングと衝突する。基地局によってUEに現在実行されている半永続的スケジューリングによれば、UEは、LTEシステム内の指定されたサブフレームに対応する特定の時に、LTEシステムのデータを送信または受信するべきである。UEによって送信されたGPSシステムのスケジューリング情報によれば、UEはGPSシステムからデータを受信するべきであり、指定されたサブフレーム内でLTEシステムのデータを送信または受信できない。したがって、基地局はUEによって送信されたスケジューリング情報を修正するか、UEに実行されている半永続的スケジューリングを再構成する必要がある。たとえば、基地局は、UEによって送信されたスケジューリング情報内のUEのスケジューリング停止の開始時間を、「SFNが12であること」から「SFNが13であること」に修正する。すなわち、基地局によってUEに実行されるべき一時的スケジューリングは、SFNが13であるフレーム内の第2サブフレームから開始することによって、10個の連続サブフレーム(すなわち、10ms)上のUEのスケジューリングを停止するステップであって、スケジューリング期間が20msである(UEがスケジューリングされない2つの時間セグメント間の間隔が10msであることと等しい)ステップを含み、それによって、基地局によってUEに実行される半永続的スケジューリングを、GPSシステムによってUEに実行されるスケジューリングからずらして配置する。さらに、基地局によってUEに送信された一時的スケジューリング情報は、20(msまたはサブフレームの単位のスケジューリング期間)、13および2(UEのスケジューリング停止の開始時間のSFNおよびサブフレーム番号)、ならびに10(msまたはサブフレームの単位の、それぞれの期間内でUEがスケジューリングされない時間)でよい。UEがスケジューリングされうる開始時間は、基地局によってUEに送信されたスケジューリング情報において「SFNが12であること」である。すなわち、基地局によってUEに実行されるべき一時的スケジューリングは、UEは、SFNが12であるフレーム内の第2サブフレームから開始することによって、10個の連続サブフレーム(すなわち、10ms)上でスケジューリングでき、スケジューリング期間は20msである(UEがスケジューリングされうる2つの時間セグメント間の間隔が10msであることと等しい)ことを含み、それによって、基地局によってUEに実行される半永続的スケジューリングを、GPSシステムによってUEに実行されるスケジューリングからずらして配置する。さらに、基地局によってUEに送信された一時的スケジューリング情報は、20(msまたはサブフレームの単位のスケジューリング期間)、12および2(UEがスケジューリングされう���開始時間のSFNおよびサブフレーム番号)、ならびに10(msまたはサブフレームの単位の、それぞれの期間内でUEがスケジューリングされうる時間)でよい。
【００３３】
他の例では、基地局によって制御される、基地局によって他のUEに現在実行されているリソーススケジューリング状態は、基地局によって他の何らかのUEに実行されている一時的スケジューリング(たとえば、システム間の干渉のための特定の一時的スケジューリング情報による、これらのUEのスケジューリング)が、UEによって基地局に送信された、およびGPSシステムによってUEに実行されるべきスケジューリングと一致する。基地局が調整を実行しない場合、基地局が一定の期間内にどのUEもスケジューリングしない、あるいはスケジューリング可能なUEの数が著しく減少する事態を引き起こす場合がある。この場合、この期間内のリソースは使用されないか、利用が非常に低くなり、リソースを浪費する結果になる。したがって、基地局は、異なるUEの一時的スケジューリングを時間に関してずらして配置できる。たとえば、異なるUEについて基地局によって生成された一時的スケジューリング情報では、UEのスケジューリング停止の開始時間が異なる。このようにして、リソースの浪費が回避され、セルリソースの利用が最大限になる。
【００３４】
他の例では、基地局は、UEの現在のサービス状態に従って、UEによって送信されたスケジューリング情報をまず修正して(略して第1修正)、次いで、基地局の現在のリソーススケジューリング状態に従って、第1修正が実行されたスケジューリング情報を修正して(略して第2修正)、第2修正が実行されたスケジューリング情報を一時的スケジューリング情報としてUEに送信する。
【００３５】
S150。基地局が一時的スケジューリング情報に従ってUEをスケジューリングする。
【００３６】
UEは基地局がUEをスケジューリングしない時間セグメント内にGPSシステムのデータを受信でき、その時間セグメントは一時的スケジューリング情報によって示される。たとえば、UEは、SFNが13であるフレーム内の第2サブフレームから開始することによって、10個の連続サブフレーム上でGPSシステムのデータを受信して、たとえば、GPSシステムのC/AコードまたはPコード、あるいはGPSシステムのナビゲーションメッセージなどのレンジングコードを受信する。UEは、GPSシステムのデータを受信するための期間として20msを使用する。
【００３７】
任意選択で、GPSシステムが使用できない、あるいは使用を停止する場合、UEは干渉が存在しないことを示す第1表示を基地局に送信できる(S160)。この場合、基地局は、一時的スケジューリング情報の使用を停止して、一時的スケジューリング情報は無効であることをUEに通知できる(S170)。たとえば、基地局は、他のシステムによってUEに実行されるスケジューリングに影響を受けることなく、代わりに従来技術を使用することによってUEをスケジューリングする。
【００３８】
任意選択で、この実施形態における基地局は、LTEシステム内のUEにサービスを提供する基地局である。UEが基地局からターゲット基地局に切り替わると、基地局は、UEからターゲット基地局に送信された第1表示、およびGPSシステムのスケジューリング情報を送信でき、ターゲット基地局が、干渉システムが存在することを知り、UEについての一時的スケジューリング情報を生成できるようにする。
【００３９】
この実施形態では、LTEシステム内の基地局が、UEによって送信された情報に従って一時的スケジューリング情報を生成する。これによって、LTEシステムによってUEに実行されるスケジューリングと、隣接周波数帯域上の他のシステム(GPSシステムなど)によってUEに実行されるスケジューリングとの間の衝突を回避して、隣接周波数帯域上の2つのシステム内の、UEによって実行されるメッセージの送受信における相互干渉の問題を解決できる。
【００４０】
図3に示されるように、本発明の他の実施形態は方法を提供する。本方法は以下のステップを含む。
【００４１】
S310はS110に類似している。相違点は、この実施形態では、LTE帯域40およびISM WLANシステムが相互にとって干渉システムであることを説明のための例にとる点である。この実施形態は、LTE帯域40およびISM BTが相互にとって干渉システムであるケースにも適用でき、別には説明しない。
【００４２】
S320はS120に類似している。相違点は、LTE帯域40およびISMシステムが相互にとって干渉システムであるケースが、LTE帯域40およびISM WLANシステムが相互にとって干渉システムであるケース、およびLTE帯域40およびISM BTが相互にとって干渉システムであるケースを含む点である。したがって、UEがISM WLANシステムとLTE帯域40との間、またはISM BTとLTE帯域40との間に干渉が存在すると決定すると、UEは、このステップで第1表示に加えて第2表示を基地局にさらに送信でき、第2表示はLTEシステムとの間に干渉が存在するISM WLANシステムまたはISM BTを示すために使用される。たとえば、第2表示は1ビットを占める。ビット情報が1の場合、干渉システムがISM WLANシステムであることを示しており、ビット情報が0の場合、干渉システムがISM BTであることを示している。
【００４３】
任意選択で、第2表示は第1表示と同じメッセージ内で搬送され、それによって無線インターフェースリソースの占有を減らす。
【００４４】
S330。基地局が一時的スケジューリング情報を生成して、その一時的スケジューリング情報をUEに送信し、一時的スケジューリング情報は基地局がUEをスケジューリングしない時間を示すので、UEはその時に他のシステムを使用できる。たとえば、一時的スケジューリング情報は、スケジューリング期間、スケジューリング期間内に基地局がUEをスケジューリングしない開始時間(略して、UEのスケジューリング停止の開始時間と呼ばれうる)、およびスケジューリング期間内に基地局がUEをスケジューリングしない時間(略してUEのスケジューリング停止の時間と呼ばれうる)を含む。他の例では、一時的スケジューリング情報は、スケジューリング期間、スケジューリング期間内に基地局がUEをスケジューリングしない開始時間(略してUEのスケジューリング停止の開始時間と呼ばれうる)、およびスケジューリング期間内に基地局がUEをスケジューリングしない終了時間(略してUEのスケジューリング停止の終了時間と呼ばれうる)を含む。他の例では、一時的スケジューリング情報は、スケジューリング期間、スケジューリング期間内に基地局がUEをスケジューリングする開始時間、およびスケジューリング期間内に基地局がUEをスケジューリングする時間を含む。他の例では、一時的スケジューリング情報は、スケジューリング期間、ならびにスケジューリング期間内に基地局がUEをスケジューリングする開始時間および終了時間を含む。
【００４５】
任意選択で、一時的スケジューリング情報は、基地局によってUEに送信されたRRCメッセージ内で搬送される。
【００４６】
干渉システムが比較ベースのISM WLANシステムの場合、システムのスケジューリング情報は存在しない。任意選択で、UEは推奨されたスケジューリング情報を生成して、それを基地局に送信でき、推奨されたスケジューリング情報はUEによって予想される、基地局がUEをスケジューリングする方式を示すので、基地局によってスケジューリングされない時間セグメント内に、UEはISM WLANシステムを使用でき、すなわち、アップリンクまたはダウンリンクデータ送信、およびシグナリング対話を含む、ISM WLANシステムと通信できる。任意選択で、UEは、LTEシステム内のUEのサービス使用状態、および他のシステム内のUEのサービス使用状態に従って推奨されたスケジューリング情報を生成して、基地局によってUEがISM WLANシステムからデータを受信できるようになる時間セグメントを推奨する。たとえば、UEがWLANシステムを使用してIPネットワーク電話(スカイプなど)通話を作成して、LTEシステムを使用してデータをダウンロードすると、UEは基地局が定期的にUEのスケジューリングを停止して、IPネットワーク電話通話の品質を保証すること、すなわち、IPネットワーク電話データを定期的に送受信することを推奨できる。このようにして、UEは、基地局がUEをスケジューリングしない時間に、WLANシステムのIPネットワーク電話通話サービスを使用する。たとえば、基地局についてUEによって推奨されるスケジューリングは以下の通りである:基地局は、SFNが15であるフレーム内の第6サブフレームから開始することによって、5個の連続サブフレーム(すなわち、5ms)上のUEをスケジューリングせず、スケジューリング期間が100msである(UEがスケジューリングされない2つの時間セグメント間の間隔が50msであることと等しい)。さらに、UEによって基地局に送信された推奨されたスケジューリング情報は、100(msまたはサブフレームの単位のスケジューリング期間)、15および6(UEのスケジューリング停止の開始時間のSFNおよびサブフレーム番号)、ならびに5(msまたはサブフレームの単位の、それぞれの期間内でUEがスケジューリングされない時間)でよい。
【００４７】
UEが推奨されたスケジューリング情報を基地局に送信すると、基地局は、受信した第1表示、第2表示、および推奨されたスケジューリング情報に従って、ISM WLANシステムが干渉システムであること、および基地局がUEをスケジューリングするためにUEによって推奨される方法を知ることができる。任意選択で、基地局は、UEによって送信されたスケジューリング情報を修正することによって一時的スケジューリング情報を生成する。たとえば、UEの現在のサービス状態、および/または基地局のリソーススケジューリング状態に従って、基地局は、UEによって送信された、推奨されたスケジューリング情報を修正して、次いで修正されたスケジューリング情報を一時的スケジューリング情報としてUEに送信する。
【００４８】
たとえば、UEの現在のサービス状態はVoIPサービスが使用されている状態である。基地局はUEに半永続的スケジューリングを実行する。それぞれの20msが1期間であると仮定する。UEは、それぞれの期間内の指定されたサブフレームに一度、VoIPサービスデータを受信または送信する。指定されたサブフレームは、ISM WLANシステムからのデータが受信される時間セグメント(受信開始時間が、SFNが15であるフレーム内の第6サブフレームであり、受信時間が5ms)とオーバーラップし、時間セグメントはUEによって推奨される。したがって、基地局は、UEによって送信された推奨されたスケジューリング情報を修正するか、UEに実行されている半永続的スケジューリングを再構成する必要がある。たとえば、基地局は、UEによって推奨されたUEのスケジューリング停止の開始時間を、「SFNが15であること」から「SFNが16であること」に修正する。すなわち、基地局によってUEに実行されるべき一時的スケジューリングは、SFNが16であるフレーム内の第6サブフレームから開始することによって、5個の連続サブフレーム(すなわち、5ms)上のUEのスケジューリングを停止するステップであって、スケジューリング期間が100msである(UEがスケジューリングされない2つの時間セグメント間の間隔が50msであることと等しい)ステップを含み、それによって、基地局によってUEに半永続的スケジューリングが実行される時間セグメントを、UEがISM WLANシステムからデータを受信する時間セグメントからずらして配置する。さらに、基地局によってUEに送信された一時的スケジューリング情報は、100(msまたはサブフレームの単位のスケジューリング期間)、16および6(UEのスケジューリング停止の開始時間のSFNおよびサブフレーム番号)、ならびに5(msまたはサブフレームの単位の、それぞれの期間内でUEがスケジューリングされない時間)でよい。
【００４９】
他の例では、基地局の現在のリソーススケジューリング状態は、基地局によって他の何らかのUEに実行されている一時的スケジューリング(たとえば、システム間の干渉のための特定の一時的スケジューリング情報による、これらのUEのスケジューリング)が、UEによって基地局に送信された、推奨されたスケジューリング情報と一致する。基地局が調整を実行しない場合、基地局が一定の期間内にどのUEもスケジューリングしない、あるいはスケジューリング可能なUEの数が著しく減少させる事態を引き起こす場合がある。この場合、この期間内のリソースは使用されないか、利用が非常に低くなり、リソースを浪費する結果になる。この実施形態におけるUEはUE11であり、基地局は他の10個のUE(すなわち、UE1からUE10)に一時的スケジューリングを実行していると仮定する。基地局によってUE1に実行される一時的スケジューリングは以下の通りである:UE1のスケジューリング停止の開始時間はSFNが1であるフレーム内の第6サブフレームであり、時間は5msであり、スケジューリング期間は30msである。基地局によってUE2に実行される一時的スケジューリングは以下の通りである:UE2のスケジューリング停止の開始時間はSFNが31であるフレーム内の第6サブフレームであり、時間は5msであり、スケジューリング期間は30msである。以下同様である。基地局によってUE10に実行される一時的スケジューリングは以下の通りである:UE10のスケジューリング停止の開始時間はSFNが271であるフレーム内の第6サブフレームであり、時間は5msであり、スケジューリング期間は30msである。他の全てのUEによって推奨される、ISM WLANシステムのデータを受信する時間セグメントが、受信開始時間はSFNが31であるフレーム内の第6サブフレームであり、受信時間は5msであり、期間は30msである場合、すなわち、基地局がこの時間セグメント内でUEのスケジューリングを停止することをUEが推奨する場合、複数のUEを同じ位置でスケジューリングできないケースが存在しうる。SFNが31であるフレーム内の第6サブフレームおよび後続の5msがどのUEによっても使用されないことによるリソースの浪費などのリソースの浪費を回避するために、基地局は他のUEのために離散分布を実行できる。たとえば、以下の一時的スケジューリングはUE11について実行される。基地局は、SFNが301であるフレーム内の第6サブフレームから開始することによって、5個の連続サブフレーム(すなわち、5ms)上のUE11をスケジューリングせず、スケジューリング期間が30msであり、したがって、基地局はUEによって送信された推奨されたスケジューリング情報を修正し、生成された一時的スケジューリング情報は、30(msまたはサブフレームの単位のスケジューリング期間)、301および6(UEのスケジューリング停止の開始時間のSFNおよびサブフレーム番号)、ならびに5(msまたはサブフレームの単位の、それぞれの期間内でUEがスケジューリングされない時間)である。
【００５０】
任意選択で、UEが推奨されたスケジューリング情報を生成しない、または基地局に送信しない場合、基地局は、第1表示および第2表示によって、ISM WLANシステムが干渉システムであることを知った後で、一時的スケジューリング情報を生成できる。たとえば、UEの現在のサービス状態、および/または基地局のリソーススケジューリング状態に従って、一時的スケジューリング情報がUEのために生成される。
【００５１】
たとえば、UEの現在のサービス状態はVoIPサービスが使用されている状態である。基地局はUEに半永続的スケジューリングを実行する。それぞれの20msが1期間であると仮定する。UEは、それぞれの期間内の指定されたサブフレームに一度、VoIPサービスデータを受信または送信する。基地局は、半永続的スケジューリング期間に対する影響を回避しようとすることができる。したがって、基地局は一時的スケジューリング期間を半永続的スケジューリング期間とずらして配置しようとすることができる。たとえば、現在の半永続的スケジューリング期間の開始時間は、SFNが15であるフレーム内の第2サブフレームであり、期間は20msであり、UEがデータを送受信できる時間は1msである。基地局によってUEに実行されうる一時的スケジューリングは、SFNが16であるフレーム内の第6サブフレームから開始することによって、5個の連続サブフレーム(すなわち、5ms)上のUEのスケジューリングを停止するステップであって、スケジューリング期間が100msであり、UEがスケジューリングされない2つの時間セグメント間の間隔が50msであることと等しいステップを含む。このようにして、基地局によってUEに実行される一時的スケジューリングは、UEに現在実行されている半永続的スケジューリングからずらして配置される。さらに、基地局によってUEに送信された一時的スケジューリング情報は、100(msまたはサブフレームの単位のスケジューリング期間)、16および6(UEのスケジューリング停止の開始時間のSFNおよびサブフレーム番号)、ならびに5(msまたはサブフレームの単位の、それぞれの期間内でUEがスケジューリングされない時間)でよい。
【００５２】
他の例では、基地局の現在のリソーススケジューリング状態は、基地局が一時的スケジューリングを他の何らかのUEに実行している状態である。この実施形態におけるUEはUE11であり、基地局は他の10個のUE(すなわち、UE1からUE10)に一時的スケジューリングを実行していると仮定する。基地局によってUE1に実行される一時的スケジューリングは以下の通りである:UE1のスケジューリング停止の開始時間はSFNが1であるフレーム内の第6サブフレームであり、時間は5msであり、スケジューリング期間は30msである。基地局によってUE2に実行される一時的スケジューリングは以下の通りである:UE2のスケジューリング停止の開始時間はSFNが2であるフレーム内の第6サブフレームであり、時間は5msであり、スケジューリング期間は30msである。以下同様である。基地局によってUE10に実行される一時的スケジューリングは以下の通りである:UE Nのスケジューリング停止の開始時間はSFNが271であるフレーム内の第6サブフレームであり、時間は5msであり、スケジューリング期間は30msである。他のUEに同じ干渉が存在し、基地局が同じ一時的スケジューリングをUEに反復して割り当てる場合、間違いなく一定の一時的スケジューリング期間内にスケジューリングされうるUEの数がほんの少数になる。SFNが271であるフレーム内の第6サブフレームおよび後続の5msが反復して割り当てられ、したがってどのUEによっても使用されないことによるリソースの浪費などのリソースの浪費を回避するために、基地局は他のUEのために離散分布を実行できる。たとえば、以下の一時的スケジューリングがUE11について実行される。基地局は、SFNが301であるフレーム内の第6サブフレームから開始することによって、5個の連続サブフレーム(すなわち、5ms)上のUE11をスケジューリングせず、スケジューリング期間は30msである。したがって、基地局によって生成された一時的スケジューリング情報は、30(msまたはサブフレームの単位のスケジューリング期間)、11および6(UEのスケジューリング停止の開始時間のSFNおよびサブフレーム番号)、ならびに5(msまたはサブフレームの単位の、それぞれの期間内でUEがスケジューリングされない時間)である。
【００５３】
他の例では、基地局によってUEに実行される一時的スケジューリングは以下の通りである:基地局は、SFNが12であるフレーム内の第2サブフレームから開始することによって、5個の連続サブフレーム(すなわち、5ms)上のUEをスケジューリングせず、スケジューリング期間が100msである(UEがスケジューリングされない2つの時間セグメント間の間隔が50msであることと等しい)。他の例では、一時的スケジューリング情報は、100(msまたはサブフレームの単位のスケジューリング期間)、12および8(UEのスケジューリング停止の開始時間のSFNおよびサブフレーム番号)、ならびに5(msまたはサブフレームの単位の、それぞれの期間内でUEがスケジューリングされない時間)でよい。
【００５４】
他の例では、UEの現在のサービス状態は、サービスを受信するために半永続的スケジューリングが使用されない状態であり、基地局のリソーススケジューリング状態は基地局の下で他のUEに一時的スケジューリングが実行されない状態である。この場合、基地局は、UEによって送信された、推奨されたスケジューリング情報を使用できることが好ましい。推奨されたスケジューリング情報を基地局が受信しない場合、一時的スケジューリング情報をランダムに生成して、基地局がUEをスケジューリングしない時間セグメント内に他のシステムのデータを送信または受信するようにUEに命令でき、時間セグメントは一時的スケジューリング情報によって示される。
【００５５】
他の例では、基地局は、UEの現在のサービス状態に従って、UEによって送信されたスケジューリング情報をまず修正して(略して第1修正)、次いで、基地局の現在のリソーススケジューリング状態に従って、第1修正が実行されたスケジューリング情報を修正して(略して第2修正)、第2修正が実行されたスケジューリング情報を一時的スケジューリング情報としてUEに送信する。
【００５６】
S340。基地局が一時的スケジューリング情報に従ってUEをスケジューリングする。
【００５７】
UEは、基地局がUEをスケジューリングしない時間セグメント内に、データアップロードおよびダウンロード、シグナリング対話、ならびに同様のものを含むISM WLANシステムとのアップリンクまたはダウンリンク通信を実行でき、時間セグメントは一時的スケジューリング情報によって示される。
【００５８】
任意選択で、ISM WLANシステムが使用できない場合、UEは干渉が存在しないことを示す第1表示を基地局に送信できる(S350)。この場合、基地局は、一時的スケジューリング情報の使用を停止して、UEに一時的スケジューリング情報は無効であることを通知できる(S360)。たとえば、基地局は、他のシステムによってUEに実行されるスケジューリングに影響を受けることなく、代わりに従来技術を使用することによってUEをスケジューリングする。
【００５９】
任意選択で、この実施形態における基地局は、LTEシステム内のUEにサービスを提供する基地局である。UEが基地局からターゲット基地局に切り替わると、基地局は、UEからターゲット基地局に送信された第1表示および第2表示情報を送信でき、ターゲット基地局が、干渉システムが存在することを知り、UEについての一時的スケジューリング情報を生成できるようにする。
【００６０】
この実施形態では、LTEシステム内の基地局が、UEによって送信された情報に従って一時的スケジューリング情報を生成する。これによって、LTEシステムによってUEに実行されるスケジューリングと、隣接周波数帯域上の他のシステム(ISMシステムなど)によってUEに実行されるスケジューリングとの間の衝突を回避して、隣接周波数帯域上の2つのシステム内の、UEによって実行されるメッセージの送受信における相互干渉の問題を解決できる。
【００６１】
本発明の他の実施形態は方法を提供する。この方法と、図3に示される実施形態による方法との相違点は、UEが、推奨されたスケジューリング情報を生成して、基地局に送信する点である。基地局は確認メッセージをUEに送信して、推奨されたスケジューリング情報が受信されたことを確認する。次いで、基地局は、推奨されたスケジューリング情報に従ってUEをスケジューリングする。すなわち、基地局は、基地局がUEをスケジューリングする方法についてのUEの推奨を受信するので、一時的スケジューリング情報を生成する必要がない。基地局が、UEによって送信された、推奨されたスケジューリング情報を一時的スケジューリング情報と見なすことも考えられる。任意選択で、基地局によってUEに送信された、推奨されたスケジューリング情報についての確認メッセージは、ACKメッセージでもよく、確認フィールドを含む他のメッセージでもよい。確認メッセージは、第1表示と推奨されたスケジューリング情報の正確な受信を同時に確認できる。
【００６２】
この実施形態では、隣接周波数帯域上のシステム内の、UEによって実行されるメッセージの送受信における相互干渉を回避でき、LTEシステム内の基地局の一時的スケジューリング情報を生成する動作などの内部動作を減少でき、UEは異なるシステムの使用を調整する際に役立つ。
【００６３】
図4に示されるように、本発明の他の実施形態は装置40を提供する。装置40は、本発明の他の実施形態によるスケジューリング方法において、基地局によって完了される動作を実装するように構成されうる。たとえば、装置40は第1システム内に位置して、受信ユニット410、処理ユニット420、および送信ユニット430を含む。受信ユニット410はUEによって送信された第1表示を受信するように構成され、第1表示は第1システムと第2システムとの間に干渉が存在することを示す。処理ユニット420は、一時的スケジューリング情報を生成して、一時的スケジューリング情報に従ってUEをスケジューリングするように構成される。送信ユニット430は一時的スケジューリング情報をUEに送信するように構成される。処理ユニットが一時的スケジューリング情報に従ってUEをスケジューリングする時間は、UEが第2システムからデータを受信する時間とオーバーラップしない。
【００６４】
任意選択で、第1システムは、LTEシステム、およびUEにサービスを提供するデバイス、たとえばLTEシステム内のUEにサービスを提供する基地局である。
【００６５】
第1システムがLTE帯域40であり、第2システムがISM WLANシステムまたはISM BTシステムであることを例にとると、処理ユニット420は、UEの現在のサービス状態、および/または基地局の現在のリソーススケジューリング状態(たとえば、基地局によって制御される他のUEについてのリソーススケジューリングの状態)に従って、一時的スケジューリング情報を生成するように特別に構成される。あるいは、受信ユニット410は、UEによって送信された、推奨されたスケジューリング情報を受信するようにさらに構成される。処理ユニット420は、UEの現在のサービス状態、および/または基地局の現在のリソーススケジューリング状態(たとえば、基地局によって制御される他のUEについてのリソーススケジューリングの状態)に従って、推奨されたスケジューリング情報を修正するように特別に構成され、修正されたスケジューリング情報は一時的スケジューリング情報であり、推奨されたスケジューリング情報は、UEによって推奨された、基地局がUEをスケジューリングする方法を示す。任意選択で、処理ユニットは、UEがターゲット基地局に切り替わる前に、第1表示をターゲット基地局に送信するようにさらに構成され、ターゲット基地局は第1システム内に位置する。
【００６６】
第1システムがLTE帯域13またはLTE帯域14であり、第2システムがGPSシステムであることを例にとると、受信ユニット410は、UEによって送信された第2システムのスケジューリング情報を受信するようにさらに構成され、第2システムのスケジューリング情報は、第2システムがUEをスケジューリングするために使用される。処理ユニット420は、第2システムのスケジューリング情報に従って、一時的スケジューリング情報を生成するように特別に構成される。処理ユニット420が一時的スケジューリング情報に従ってUEをスケジューリングする時間は、UEが第2システムからデータを受信する時間とオーバーラップしない点に留意されたい。処理ユニット420が一時的スケジューリング情報に従ってUEをスケジューリングする時間は、第2システムが第2システムのスケジューリング情報に従ってUEをスケジューリングする時間とオーバーラップしないことも理解されよう。任意選択で、第2システムのスケジューリング情報、および第1表示は同じRRCメッセージ内で搬送される。または、受信ユニット410は、第2システムのタイプを示す第2表示を受信するようにさらに構成され、第2システムのスケジューリング情報、第1表示、および第2表示は同じ無線リソース制御RRCメッセージ内で搬送される。したがって、受信ユニット410によって送信された一時的スケジューリング情報を受信した後、UEは、第2システムのスケジューリング情報に従って、第2システムによって実行されるスケジューリングを確定し、たとえば、基地局がUEをスケジューリングしない時間セグメント内に第2システムのデータを受信する。たとえば、処理ユニット430によって、第2システムのスケジューリング情報に従って一時的スケジューリング情報を生成するステップは、UEの現在のサービス状態、および/または基地局の現在のリソーススケジューリング状態に従って、UEによって送信されたスケジューリング情報を修正して、修正されたスケジューリング情報を一時的スケジューリング情報と見なすステップとを含む。任意選択で、第2システムのスケジューリング情報は、UEによる変換を通じて生成され、第1システムの時間を参考に使用するスケジューリング情報であり、変換は、スケジューリング情報を、第2システムの時間を参考に使用するこ
とから、第1システムの時間を参考に使用することに変換するステップを含む。任意選択で、送信ユニット420は、UEがターゲット基地局に切り替わる前に、第1表示、および第2システムのスケジューリング情報をターゲット基地局に送信するようにさらに構成され、ターゲット基地局は第1システム内に位置する。
【００６７】
任意選択で、受信ユニット410は、第1システムと第2システムとの間に干渉が存在しないことを示す第1表示を受信するようにさらに構成される。したがって、処理ユニット420は、一時的スケジューリング情報に従ってUEのスケジューリングを停止するようにさらに構成される。さらに、処理ユニット420は、一時的スケジューリング情報が無効であることをUEに通知するようにさらに構成される。
【００６８】
任意選択で、この実施形態における一時的スケジューリング情報は、スケジューリング期間、スケジューリング期間内に基地局がUEをスケジューリングしない開始時間、およびスケジューリング期間内に基地局がUEをスケジューリングしない継続時間、または、スケジューリング期間、ならびにスケジューリング期間内に基地局がUEをスケジューリングしない開始時間および終了時間を含む。
【００６９】
この実施形態において提供される装置を使用することによって、隣接周波数帯域上のシステム内の、UEによって実行されるメッセージの送受信における相互干渉を回避できる。
【００７０】
図5に示されるように、本発明の他の実施形態は装置50を提供する。装置50は、本発明の他の実施形態によるスケジューリング方法において、UEによって完了される動作を実装するように構成されうる。たとえば、装置50は送受信ユニット510および実行ユニット520を含む。送受信ユニット510は、第1表示および推奨されたスケジューリング情報を第1システム内の基地局に送信するように構成され、第1表示が、第1システムと第2システムとの間に干渉が存在することを示す。送信ユニット510は、基地局によって送信された確認メッセージを受信するようにさらに構成される。実行ユニット520は、推奨されたスケジューリング情報に従って、基地局によるスケジューリングを確定して、基地局がUEをスケジューリングしない時間セグメント内に第2システムのデータを受信するように構成される。確認メッセージは、第1表示および推奨されたスケジューリング情報についての確認、たとえば、正確な受信および/または推奨確定の確認を示す。
【００７１】
第1システムがLTE帯域40システムであり、第2システムがISM WLANシステムまたはISM BTシステムであることを例にとると、実行ユニット520は、送受信ユニット510が第1表示を第1システム内の基地局に送信する前に、第1システムと第2システムとの間に干渉が存在するかどうかを判断して、第1システムと第2システムとの間に干渉が存在する場合、第1表示を基地局に送信するよう送受信ユニット510をトリガするようにさらに構成される。任意選択で、送受信ユニット510は、一時的スケジューリング情報が無効であることを基地局から知ると、一時的スケジューリング情報に従って、基地局によるスケジューリングの確定を停止するよう実行ユニット520をトリガするようにさらに構成される。任意選択で、実行ユニット520は、第1システムと第2システムとの間に干渉が存在しないことを決定すると、第1システムと第2システムとの間に干渉が存在しないことを基地局に通知するよう送受信ユニット510をトリガするようにさらに構成される。
【００７２】
任意選択で、この実施形態における一時的スケジューリング情報は、スケジューリング期間、スケジューリング期間内に基地局がUEをスケジューリングしない開始時間、およびスケジューリング期間内に基地局がUEをスケジューリングしない継続時間、または、スケジューリング期間、ならびにスケジューリング期間内に基地局がUEをスケジューリングしない開始時間および終了時間を含む。
【００７３】
この実施形態において提供される装置によって実行されるメッセージの送受信において、隣接周波数帯域上のシステム内に相互干渉は存在しない。
【００７４】
当業者は、実施形態における方法のステップのうちの全てまたは一部は、関連ハードウェアに指示するプログラムによって実装されうることを理解するべきである。プログラムはコンピュータ可読記憶メディアに格納でき、記憶メディアは、ROM/RAM、磁気ディスク、コンパクトディスクなどでよい。
【００７５】
たとえば、プログラムは以下のステップに従って実行できる。第1システム内の基地局が、ユーザ装置UEによって送信された第1表示を受信して、第1表示が、第1システムと第2システムとの間に干渉が存在することを示す;基地局が一時的スケジューリング情報を生成して、その一時的スケジューリング情報をUEに送信する;基地局が一時的スケジューリング情報に従ってUEをスケジューリングして、基地局が一時的スケジューリング情報に従ってUEをスケジューリングする時間が、UEが第2システムからデータを受信する時間とオーバーラップしない。プログラムは、基地局または基地局内の部分的ハードウェアに、ステップを完了するよう指示し、それによって隣接周波数帯域上のシステム内のUEによって実行されるメッセージの送受信における相互干渉を回避できる。
【００７６】
他の例では、プログラムは以下のステップに従って実行できる:第1表示および推奨されたスケジューリング情報を第1システム内の基地局に送信し、第1表示が、第1システムと第2システムとの間に干渉が存在することを示す;UEが、基地局によって送信された確認メッセージを受信する; UEが、推奨されたスケジューリング情報に従って基地局によるスケジューリングを確定して、基地局がUEをスケジューリングしない時間セグメント内に第2システムのデータを受信する。プログラムは、UEまたはUE内の部分的ハードウェアに、ステップを完了するよう指示し、それによって隣接周波数帯域上のシステム内のUEによって実行されるメッセージの送受信における相互干渉を回避できる。
【００７７】
上記の説明は本発明の例示的実施形態にすぎず、当業者は、本発明の原理から逸脱することなしに、様々な改善および改良を行ってよい点に留意されたい。このような改善および改良は全て、本発明によって包含されることが意図される。
【符号の説明】
【００７８】
40  装置
50  装置
410  受信ユニット
420  処理ユニット
430  送信ユニット
510  送受信ユニット
520  実行ユニット
【図１】
2013539275.tif 000003
【図２】
2013539275.tif 000004
【図３】
2013539275.tif 000005
【図４】
2013539275.tif 000006
【図５】
2013539275.tif 000007
【手続補正書】
【提出日】平成25年3月28日(2013.3.28)
【手続補正１】
【補正対象書類名】明細書
【補正対象項目名】０００４
【補正方法】変更
【補正の内容】
【０００４】
一般的な通信システムでは、ユーザ装置(User Equipment, UE)が、ある周波数帯域でLTEシステムを使用して、同時にその周波数帯域に隣接する周波数帯域で他のシステムを使用すると、UEによるLTEシステムの信号の送信によって、UEによる他のシステムの信号の受信が干渉されることがあり、またUEによる他のシステムの信号の送信によって、UEによるLTEシステムの信号の受信が干渉されることもある。
【手続補正２】
【補正対象書類名】明細書
【補正対象項目名】００２５
【補正方法】変更
【補正の内容】
【００２５】
干渉されたシステムがスケジューリングベースのGPSシステムの場合、UEはそのシステムによって送信されたスケジューリング情報を取得できる。たとえば、GPSシステムは、C/Aコードをレンジングコードとして使用する。図2に示されるように、GPSシステムのC/Aコードの受信開始時間はAであり、(図2のGPSシステムの時間軸上の細い線によって示されるように)C/Aコードの受信間隔は10msであり、(図2のGPSシステムの時間軸上の太線によって示されるように)C/Aコードの受信時間は10msである。LTEシステム内の1つのフレームは10個のサブフレームを含み、それぞれのサブフレームの時間は1msである。任意選択で、GPSシステムとLTE(帯域13など)システムの時間基準が異なる場合、UEはGPSシステムの時間を(レンジングコードの形式で)参考に使用するスケジューリング情報を、LTEシステムの時間を(フレームおよびサブフレームの形式で)参考に使用するスケジューリング情報に変換するので、LTEシステム内の基地局はGPSシステムのスケジューリング情報を理解できる。図2に示されるように、UEはGPSシステムのC/Aコードの受信開始時間をLTEシステムの時間に変換できる。たとえば、GPSシステムの時間Aは、LTEシステム内でシーケンス番号12を有するフレーム内の第2サブフレームに対応し、10msであるC/Aコードの受信間隔および10msであるC/Aコードの受信時間は、LTEシステム内の20msである受信間隔および(図2のLTEの時間軸上の太線で示されるように)それぞれの期間内で10msである受信時間に変換される。言い換えれば、UEによってLTEシステム内の基地局に送信されたスケジューリング情報は、20(msまたはサブフレームの単位の受信期間)、12および2(無線フレーム番号SFN、および受信開始時間のサブフレーム番号)、ならびに10(msまたはサブフレームの単位の、それぞれの期間内の受信時間)である。任意選択で、GPSシステムとLTE(帯域13など)システムの時間基準が異なる場合、UEはGPSシステムの時間を参考に使用するスケジューリング情報を、絶対時間を参考に使用するスケジューリング情報に変換するので、LTEシステム内の基地局はGPSシステムのスケジューリング情報を理解できる。任意選択で、GPSシステムのスケジューリング情報が絶対時間を参考に使用するスケジューリング情報の場合、UEはGPSシステムのスケジューリング情報をLTEシステム内の基地局に直接送信し、それによってUEの動作を減らすか、絶対時間を参考に使用するスケジューリング情報を、LTEシステムの時間を参考に使用するスケジューリング情報に変換して、それによって基地局がUEによって送信されたスケジューリング情報を受信するために必要な動作を減らす。絶対時間は公的時間とも呼ばれることもあり、それぞれのシステムによって共有される時間基準である。たとえば、年/月/日、および時/分/秒の形式が採用される。任意選択で、参照として使用される時間はシステム標準で規定される。
【手続補正３】
【補正対象書類名】明細書
【補正対象項目名】００６４
【補正方法】変更
【補正の内容】
【００６４】
任意選択で、第1システムは、LTEシステム、および装置は、UEにサービスを提供するデバイス、たとえばLTEシステム内のUEにサービスを提供する基地局である。
【手続補正４】
【補正対象書類名】明細書
【補正対象項目名】００６６
【補正方法】変更
【補正の内容】
【００６６】
第1システムがLTE帯域13またはLTE帯域14であり、第2システムがGPSシステムであることを例にとると、受信ユニット410は、UEによって送信された第2システムのスケジューリング情報を受信するようにさらに構成され、第2システムのスケジューリング情報は、第2システムがUEをスケジューリングするために使用される。処理ユニット420は、第2システムのスケジューリング情報に従って、一時的スケジューリング情報を生成するように特別に構成される。処理ユニット420が一時的スケジューリング情報に従ってUEをスケジューリングする時間は、UEが第2システムからデータを受信する時間とオーバーラップしない点に留意されたい。処理ユニット420が一時的スケジューリング情報に従ってUEをスケジューリングする時間は、第2システムが第2システムのスケジューリング情報に従ってUEをスケジューリングする時間とオーバーラップしないことも理解されよう。任意選択で、第2システムのスケジューリング情報、および第1表示は同じRRCメッセージ内で搬送される。または、受信ユニット410は、第2システムのタイプを示す第2表示を受信するようにさらに構成され、第2システムのスケジューリング情報、第1表示、および第2表示は同じ無線リソース制御RRCメッセージ内で搬送される。したがって、送信ユニット430によって送信された一時的スケジューリング情報を受信した後、UEは、第2システムのスケジューリング情報に従って、第2システムによって実行されるスケジューリングを確定し、たとえば、基地局がUEをスケジューリングしない時間セグメント内に第2システムのデータを受信する。たとえば、処理ユニット420によって、第2システムのスケジューリング情報に従って一時的スケジューリング情報を生成するステップは、UEの現在のサービス状態、および/または基地局の現在のリソーススケジューリング状態に従って、UEによって送信されたスケジューリング情報を修正して、修正されたスケジューリング情報を一時的スケジューリング情報と見なすステップとを含む。任意選択で、第2システムのスケジューリング情報は、UEによる変換を通じて生成され、第1システムの時間を参考に使用するスケジューリング情報であり、変換は、スケジューリング情報を、第2システムの時間を参考に使用するこ
とから、第1システムの時間を参考に使用することに変換するステップを含む。任意選択で、送信ユニット430は、UEがターゲット基地局に切り替わる前に、第1表示、および第2システムのスケジューリング情報をターゲット基地局に送信するようにさらに構成され、ターゲット基地局は第1システム内に位置する。
【手続補正５】
【補正対象書類名】特許請求の範囲
【補正対象項目名】全文
【補正方法】変更
【補正の内容】
【特許請求の範囲】
【請求項１】
第1システム内の基地局によって、ユーザ装置、UEによって送信された第1表示を受信するステップであって、前記第1表示が、前記第1システムと第2システムとの間に干渉が存在することを示すステップと、
前記基地局によって、一時的スケジューリング情報を生成して、前記一時的スケジューリング情報を前記UEに送信するステップと、
前記基地局によって、前記一時的スケジューリング情報に従って前記UEをスケジューリングするステップであって、前記基地局が前記一時的スケジューリング情報に従って前記UEをスケジューリングする時間が、前記UEが前記第2システムからデータを受信する時間とオーバーラップしない、ステップとを備える、スケジューリング方法。
【請求項２】
前記基地局によって一時的スケジューリング情報を生成する前記ステップが、
前記基地局によって、前記UEの現在のサービス状態、および/または前記基地局の現在のリソーススケジューリング状態に従って、前記一時的スケジューリング情報を生成するステップ、または、
前記基地局によって、前記UEによって送信された、推奨されたスケジューリング情報を受信して、前記UEの前記現在のサービス状態、および/または前記基地局の前記現在のリソーススケジューリング状態に従って、前記推奨されたスケジューリング情報を修正するステップであって、前記修正されたスケジューリング情報が前記一時的スケジューリング情報であり、前記推奨されたスケジューリング情報が、前記UEによって推奨された、前記基地局が前記UEをスケジューリングする方法を示すステップを備える、請求項1に記載の方法。
【請求項３】
前記基地局によって、前記UEが前記ターゲット基地局に切り替わる前に、前記第1表示をターゲット基地局に送信するステップであって、前記ターゲット基地局が前記第1システム内に位置する、ステップをさらに備える、請求項1または2に記載の方法。
【請求項４】
前記基地局が前記一時的スケジューリング情報を生成する前に、前記基地局によって、前記UEによって送信された前記第2システムのスケジューリング情報を受信するステップをさらに備え、
前記基地局によって一時的スケジューリング情報を生成する前記ステップが、前記基地局によって、前記第2システムの前記スケジューリング情報に従って一時的スケジューリング情報を生成するステップと、
前記UEによって、前記基地局が前記UEをスケジューリングしない時間セグメント内に、前記第2システムの前記スケジューリング情報に従って前記第2システムによって実行されるスケジューリングを確定するステップとを備える、請求項1に記載の方法。
【請求項５】
前記UEによって、前記第1システムと前記第2システムとの間に干渉が存在するかどうかを判断するステップと、
前記第1システムと前記第2システムとの間に干渉が存在する場合、前記UEによって、前記第1表示を前記基地局に送信するステップとをさらに備える、請求項1から4のいずれか一項に記載の方法。
【請求項６】
前記一時的スケジューリング情報に従って前記UEをスケジューリングする前記ステップの後に、
前記第1システムと前記第2システムとの間に干渉が存在しないことを知ると、前記基地局によって、前記一時的スケジューリング情報に従って前記UEのスケジューリングを停止するステップをさらに備える、請求項1から5のいずれか一項に記載の方法。
【請求項７】
ユーザ装置UEによって、第1表示および推奨されたスケジューリング情報を第1システム内の基地局に送信するステップであって、前記第1表示が、前記第1システムと第2システムとの間に干渉が存在することを示すステップと、
前記UEによって、前記基地局によって送信された確認メッセージを受信するステップと、
前記UEによって、前記推奨されたスケジューリング情報に従って、前記基地局によるスケジューリングを確定して、前記基地局が前記UEをスケジューリングしない時間セグメント内に前記第2システムのデータを受信するステップとを備える、スケジューリング方法。
【請求項８】
UEによって、第1表示を第1システム内の基地局に送信する前記ステップの前に、
前記UEによって、前記第1システムと前記第2システムとの間に干渉が存在するかどうかを判断するステップと、
前記第1システムと前記第2システムとの間に干渉が存在する場合、前記UEによって、前記第1表示を前記基地局に送信するステップとをさらに備える、請求項7に記載の方法。
【請求項９】
前記UEによって、前記推奨されたスケジューリング情報に従って、前記基地局によるスケジューリングを確定する前記ステップの後に、
前記一時的スケジューリング情報が無効であることを前記基地局から知ると、前記UEによって、前記一時的スケジューリング情報に従って、前記基地局によるスケジューリングの確定を停止するステップをさらに備える、請求項7または8に記載の方法。
【請求項１０】
前記UEによって、前記一時的スケジューリング情報が無効であることを前記基地局から知る前に、
前記UEが、前記第1システムと前記第2システムとの間に干渉が存在しないことを決定すると、前記UEによって、前記第1システムと前記第2システムとの間に干渉が存在しないことを前記基地局に通知するステップをさらに備える、請求項9に記載の方法。
【請求項１１】
第1システム内に位置して、受信ユニット、処理ユニット、および送信ユニットを備える装置であって、
前記受信ユニットがユーザ装置、UEによって送信された第1表示を受信するように構成され、前記第1表示が前記第1システムと第2システムとの間に干渉が存在することを示し、
前記処理ユニットが、一時的スケジューリング情報を生成して、前記一時的スケジューリング情報に従って前記UEをスケジューリングするように構成され、
前記送信ユニットが前記一時的スケジューリング情報を前記UEに送信するように構成され、
前記処理ユニットが前記一時的スケジューリング情報に従って前記UEをスケジューリングする時間が、前記UEが前記第2システムからデータを受信する時間とオーバーラップしない、装置。
【請求項１２】
前記処理ユニットが、前記UEの現在のサービス状態、および/または前記装置の現在のリソーススケジューリング状態に従って前記一時的スケジューリング情報を生成するように構成され、または
前記受信ユニットが、前記UEによって送信された、推奨されたスケジューリング情報を受信するようにさらに構成され、前記処理ユニットが、前記UEの現在のサービス状態、および/または前記装置の現在のリソーススケジューリング状態に従って、前記推奨されたスケジューリング情報を修正するように構成され、前記修正されたスケジューリング情報が前記一時的スケジューリング情報であり、前記推奨されたスケジューリング情報が、前記UEによって推奨された、前記装置が前記UEをスケジューリングする方法を示す、請求項11に記載の装置。
【請求項１３】
前記受信ユニットが、前記第1システムと前記第2システムとの間に干渉が存在しないことを示す第1表示を受信するようにさらに構成され、前記処理ユニットが、前記一時的スケジューリング情報に従って前記UEのスケジューリングを停止するようにさらに構成される、請求項11または12に記載の装置。
【請求項１４】
送受信ユニットおよび実行ユニットを備える装置であって、
送受信ユニットが、第1表示および推奨されたスケジューリング情報を第1システム内の基地局に送信するように構成され、前記第1表示が、前記第1システムと第2システムとの間に干渉が存在することを示し、
前記送受信ユニットが、前記基地局によって送信された確認メッセージを受信するようにさらに構成され、
実行ユニットが、前記推奨されたスケジューリング情報に従って、前記基地局によるスケジューリングを確定して、前記基地局が前記装置をスケジューリングしない時間セグメント内に前記第2システムのデータを受信するように構成される、装置。
【請求項１５】
前記送受信ユニットが、前記一時的スケジューリング情報が無効であることを前記基地局から知ると、前記一時的スケジューリング情報に従って、前記基地局によるスケジューリングの確定を停止するよう前記実行ユニットをトリガするようにさらに構成される、請求項14に記載の装置。
【手続補正６】
【補正対象書類名】図面
【補正対象項目名】図４
【補正方法】変更
【補正の内容】
【図４】
2013539275.tif 000008
【国際調査報告】
2013539275.tif 000009
2013539275.tif 000010
2013539275.tif 000011
2013539275.tif 000012